【手続補正書】
【提出日】平成31年4月26日(2019.4.26)
【手続補正１】
【補正対象書類名】明細書
【補正対象項目名】０００９
【補正方法】変更
【補正の内容】
【０００９】
この発明は、撮像光学系を複数個使用する、新規な撮像装置の実現を課題とする。
【手続補正２】
【補正対象書類名】明細書
【補正対象項目名】００１０
【補正方法】変更
【補正の内容】
【００１０】
この発明の撮像装置は、結像光学系と、該結像光学系により結像した画像を画像信号に変換する撮像素子とにより構成される撮像光学系を複数個組み合わせて撮像する撮像装置であって、複数の撮像光学系は、それぞれが、物体側に配される第１レンズ群と、該第１レンズ群の像側に配される第２レンズ群と、反射面部材と、を有し、該反射面部材は、第１レンズ群の光軸を、第１の方向へ屈曲させる第１反射面と、該第１反射面により反射された光束の光軸を、前記第１レンズ群の光軸と第１の方向とは異なる第２の方向へ屈曲させる第２反射面と、を有する。
【手続補正３】
【補正対象書類名】明細書
【補正対象項目名】００１１
【補正方法】変更
【補正の内容】
【００１１】
この発明によれば、撮像光学系を複数個使用する、新規な撮像装置を実現できる。
【手続補正４】
【補正対象書類名】明細書
【補正対象項目名】０１４１
【補正方法】変更
【補正の内容】
【０１４１】
［１］
結像光学系と、該結像光学系により結像した画像を画像信号に変換する撮像素子とにより構成される撮像光学系を複数個組み合わせて撮像する撮像装置であって、複数の撮像光学系は、それぞれが、物体側に配される第１レンズ群Ｌ１Ｉ、Ｌ２Ｉと、該第１レンズ群の像側に配される第２レンズ群Ｌ１ＩＩ、Ｌ２ＩＩと、反射面部材ＰＣと、を有し、該反射面部材ＰＣは、第１レンズ群の光軸を、第１の方向へ屈曲させる第１反射面ＲＦと、該第１反射面により反射された光束の光軸を、前記第１レンズ群の光軸と第１の方向とは異なる第２の方向へ屈曲させる第２反射面と、を有する撮像装置。
［２］
［１］記載の撮像装置において、組み合わせられる撮像光学系は２個であり、前記第１の方向が互いに異なり、前記第２の方向が同じ方向となるように組み合わせられる撮像装置。
【手続補正５】
【補正対象書類名】明細書
【補正対象項目名】０１４２
【補正方法】変更
【補正の内容】
【０１４２】
［３］
［２］記載の撮像装置において、個々の撮像光学系の反射面部材ＰＣが、第１反射面と第２反射面とを有するプリズムであって、第１の方向は第１レンズ群Ｌ１Ｉ、Ｌ２Ｉの光軸と直交し、第２の方向は前記第１の方向と直交する撮像装置。
【手続補正６】
【補正対象書類名】明細書
【補正対象項目名】０１４３
【補正方法】変更
【補正の内容】
【０１４３】
［４］
［３］記載の撮像装置において、２個の撮像光学系が、反射面部材ＰＣを共用する撮像装置。
【手続補正７】
【補正対象書類名】明細書
【補正対象項目名】０１４４
【補正方法】変更
【補正の内容】
【０１４４】
［５］
［２］または［３］または［４］記載の撮像装置において、２つの撮像光学系における、第１光学系と第１の方向を共有する共有平面が含まれる同一平面に略直交する光軸を有する小視野用の結像レンズ系Ｌ３Ｉ、Ｌ３ＩＩと、前記共有平面を介して前記結像レンズ系Ｌ３Ｉ、Ｌ３ＩＩによる像を撮像する小視野用固体撮像素子ＩＳ３とを、小視野光学系として有する撮像装置。
【手続補正８】
【補正対象書類名】明細書
【補正対象項目名】０１４５
【補正方法】変更
【補正の内容】
【０１４５】
［６］
［５］記載の撮像装置において、反射面部材ＰＣが、第１反射面と第２反射面とを有するプリズムであって、第１の方向は第１レンズ群の光軸と直交し、第２の方向は前記第１の方向と直交するものであって、第１撮像光学系と第２撮像光学系に共有され、反射面部材の第１反射面ＲＦは、３角プリズムＰ０１、Ｐ０２の接合面として形成され、小視野用の結像レンズ系の光軸ＡＸは、前記３角プリズムの一方Ｐ０２のみを通り、前記小視野用の結像レンズ系による結像光束が、前記ＲＦ接合面と交わらない撮像装置。
【手続補正９】
【補正対象書類名】明細書
【補正対象項目名】０１４６
【補正方法】変更
【補正の内容】
【０１４６】
［７］
［２］ないし［６］の何れか１に記載の撮像装置において、２個の撮像光学系もしくは２個の撮像光学系と小視野光学系とを収納するハウジング内に、少なくとも５個の白色のＬＥＤ１１ないし１５を照明手段として有し、５個のＬＥＤのうちの３個は、第１撮像光学系の第１レンズ群と第２撮像光学系の第１レンズ群との間に配置され、他の２個のＬＥＤは、第１撮像光学系と第２撮像光学系の第２レンズ群の光軸を含む面の面直交方向の両側の位置に配置され、これら５個のＬＥＤにより前方と側方とを照明する撮像装置。
【手続補正１０】
【補正対象書類名】特許請求の範囲
【補正対象項目名】全文
【補正方法】変更
【補正の内容】
【特許請求の範囲】
【請求項１】
結像光学系と、該結像光学系により結像した画像を画像信号に変換する撮像素子とにより構成される撮像光学系を複数個組み合わせて撮像する撮像装置であって、
複数の撮像光学系は、それぞれが、物体側に配される第１レンズ群と、該第１レンズ群の像側に配される第２レンズ群と、反射面部材と、を有し、
該反射面部材は、第１レンズ群の光軸を、第１の方向へ屈曲させる第１反射面と、該第１反射面により反射された光束の光軸を、前記第１レンズ群の光軸と第１の方向とは異なる第２の方向へ屈曲させる第２反射面と、を有する撮像装置。
【請求項２】
請求項1記載の撮像装置において、  
組み合わせられる撮像光学系は２個であり、
前記第１の方向が互いに異なり、前記第２の方向が同じ方向となるように組み合わせられる撮像装置。
【請求項３】
請求項２記載の撮像装置において、
個々の撮像光学系の反射面部材が、第１反射面と第２反射面とを有するプリズムであって、第１の方向は第１レンズ群の光軸と直交し、第２の方向は前記第１の方向と直交する撮像装置。
【請求項４】
請求項３記載の撮像装置において、
２個の撮像光学系が、反射面部材を共用する撮像装置。
【請求項５】
請求項２または３または４記載の撮像装置において、
２つの撮像光学系における、第１光学系と第１の方向を共有する共有平面が含まれる同一平面に略直交する光軸を有する小視野用の結像レンズ系と、前記共有平面を介して前記結像レンズによる像を撮像する小視野用固体撮像素子とを、小視野光学系として有する撮像装置。
【請求項６】
請求項５記載の撮像装置において、
反射面部材が、第１反射面と第２反射面とを有するプリズムであって、第１の方向は第１レンズ群の光軸と直交し、第２の方向は前記第１の方向と直交するものであって、第１撮像光学系と第２撮像光学系に共有され、
反射面部材の第１反射面は、３角プリズムの接合面として形成され、
小視野用の結像レンズ系の光軸は、前記３角プリズムの一方のみを通り、前記小視野用の結像レンズ系による結像光束が、前記接合面と交わらない撮像装置。
【請求項７】
請求項２ないし６の何れか１項に記載の撮像装置において、
２個の撮像光学系もしくは２個の撮像光学系と小視野光学系とを収納するハウジング内に、少なくとも５個の白色のＬＥＤを照明手段として有し、
５個のＬＥＤのうちの３個は、第１撮像光学系の第１レンズ群と第２撮像光学系の第１レンズ群との間に配置され、
他の２個のＬＥＤは、第１撮像光学系と第２撮像光学系の第２レンズ群の光軸を含む面の面直交方向の両側の位置に配置され、
これら５個のＬＥＤにより前方と側方とを照明する撮像装置。